(57)【特許請求の範囲】
【請求項１】
シート本体に、第一の方向に亘る横折り部と前記第一の方向に直交する第二の方向に亘って前記横折り部に交差する縦折り部とを設けて、シート本体が前記縦折り部と横折り部とにより少なくとも四面に区分され、前記横折り部から第二の方向に横折りして折り畳んだ後に前記縦折り部から第一の方向に巻き折り可能に設けられ、前記巻き折りの終端に位置するシート面を封筒上紙としこの封筒上紙に縦折り部を介して連接されたシート面を封筒下紙とするシートであって、
上記シート本体の第二の方向に対向位置する上端縁と下端縁との内、前記上端縁に亘って易開封手段を介して封着片が連接されて、該封着片の巻き折り時の対向部位に接着剤塗布予定域を備えるとともに、前記横折り部側に位置して巻き折り時に対向する対向部位の一方に接着剤塗布予定域を備え、対向部位の他方に剥離剤を塗布してなる剥離部を備え、
前記封筒上紙側の側端縁に巻き折り時に前記封筒下紙に折り重ねる封緘片が連接され、かつ、横折りしたときに前記封筒上紙に対向するシート面側の側端縁に前記封緘片に横折り部を介して連接された対向片を連接し、前記封緘片の封筒下紙への対向面に接着剤塗布予定域を設けるとともに、前記対向片の第一の方向における幅寸法を、封緘片の接着剤塗布予定域から封筒上紙までの幅寸法より小さくして、封緘片を封筒下紙側に折り重ねるときに封緘片の前記接着剤塗布予定域が封筒下紙に直接相対するように構成したことを特徴とする折り畳み封書用シート。
【請求項２】
上記対向片全体が切り欠かれている請求項１に記載の折り畳み封書用シート。
【発明の詳細な説明】
【０００１】
【発明の属する技術分野】
本発明は折畳みにより封書が得られるようにしたシートに関するものである。
【０００２】
【発明が解決しようとする課題】
従来から金融機関やデパートなどにあっては顧客側に新商品や各種サービスの通知を行うに際して葉書形態とした案内状を送付したり、封筒を用いて通知するなどの方法を行っている。そして、通知内容が数多くなるような場合にはダイレクトメールなどのように通知情報をカタログやパンフレットなどとして作成し、これを封筒に入れて送付することが一般的である。
【０００３】
しかし、封筒に入れるカタログやパンフレットなどは冊子形態で作成されることが多く、そして、封筒の形状からも制限を受けるために、前記カタログやパンフレットの一頁当たりの面積や見開いたときの面積はそれ程広くなく、受取人側への通知情報の量を多く確保することができないのが不都合であった。
この点に関して発明者は一枚のシートを折り畳むことで封書形態にすることができるシートを提案している。このシートは、シート本体に第一の方向に亘る横折り部と前記第一の方向に直交する第二の方向に亘って前記横折り部に交差する縦折り部とを設け、シート本体が前記縦折り部と横折り部とにより少なくとも四面に区分されていて、前記横折り部から第二の方向に横折りして折り畳んだ後に前記縦折り部から第一の方向に巻き折りできるようにしたものであり、前記巻き折りの終端に位置するシート面を封筒上紙としこの封筒上紙に縦折り部を介して連接されたシート面を封筒下紙として封書が得られるようにしている。
さらに、このシートにあっては、封書としての封緘が行えるようにするために、前記封筒上紙側の側端縁に前記封筒下紙側に折り重ねる封緘片が連接されており、そして、封緘片に横折り部を介して連接された対向片との間でこの封緘片が剥離可能となる形態とし、この対向片と封緘片を合わせた状態で封筒下紙に折り重ねて貼り合わせるようにしていた。
このシートでは上述したように横折りした後に縦折り部から巻き折りするようにしているため、巻き始めに内方としたシート部分の巻き方向でのシート長さと外方としたシート部分の巻き方向でのシート長さとが同じであっても、内方となるシート部分の終端側がわずかに外部に表出するようになる。即ち、最終の折りとなる封緘片の封筒下紙に対する折り重ねした時点で、上記対向片の辺部が封緘片の下から封書外方側に食み出して封書の外観を損ない易くなっており、この点を改善する要望がなされていた。
そこで、本発明は上記事情に鑑み、横折りしたシート本体を巻き折りしても上記対向片がはみ出さないようにすることを課題とし、大面積の通知情報面が確保できるシートより形成された封書の外観を損なわないようにすることを目的とする。
【０００４】
【課題を解決するための手段】
本発明は上記課題を考慮してさなされたもので、シート本体に、第一の方向に亘る横折り部と前記第一の方向に直交する第二の方向に亘って前記横折り部に交差する縦折り部とを設けて、シート本体が前記縦折り部と横折り部とにより少なくとも四面に区分され、前記横折り部から第二の方向に横折りして折り畳んだ後に前記縦折り部から第一の方向に巻き折り可能に設けられ、前記巻き折りの終端に位置するシート面を封筒上紙としこの封筒上紙に縦折り部を介して連接されたシート面を封筒下紙とするシートであって、上記シート本体の第二の方向に対向位置する上端縁と下端縁との内、前記上端縁に亘って易開封手段を介して封着片が連接されて、該封着片の巻き折り時の対向部位に接着剤塗布予定域を備えるとともに、前記横折り部側に位置して巻き折り時に対向する対向部位の一方に接着剤塗布予定域を備え、対向部位の他方に剥離剤を塗布してなる剥離部を備え、前記封筒上紙側の側端縁に巻き折り時に前記封筒下紙に折り重ねる封緘片が連接され、かつ、横折りしたときに前記封筒上紙に対向するシート面側の側端縁に前記封緘片に横折り部を介して連接された対向片を連接し、前記封緘片の封筒下紙への対向面に接着剤塗布予定域を設けるとともに、前記対向片の第一の方向における幅寸法を、封緘片の接着剤塗布予定域から封筒上紙までの幅寸法より小さくして、封緘片を封筒下紙側に折り重ねるときに封緘片の前記接着剤塗布予定域が封筒下紙に直接相対するように構成したことを特徴とする折り畳み封書用シートを提供して、上記課題を解消するものである。
そして、本発明において、上記対向片は全体が切り欠かれているものとすることができるものである。
【０００５】
【発明の実施の形態】
つぎに本発明を図１から図５に示す実施の形態に基づいて詳細に説明する。
図中１は折り畳み封書用シートであって、該折り畳み封書用シート１は、一枚のシート本体２の所要箇所に受取人住所氏名などの宛名情報や受取人への通知情報が印刷、印字されている。前記シート本体２は所要箇所から折り畳むことで封書形態とすることができるように折り部が設けられていて、図１に示すように、シート本体２の幅方向（得られる封書の短辺方向）となる第一の方向Ｘに亘って横折り部３がシート本体２の中央部分に設けられ、また、シート本体２の縦方向（得られる封書の長辺方向）となる第二の方向Ｙに亘って縦折り部４が設けられている。前記第一、第二の方向Ｘ，Ｙは直交する二方であって一本の横折り部３に対して三本の縦折り部４が交差している。
このようにシート本体２に三つの縦折り部４と一つの横折り部３とがあって８面に仕切られており、前記横折り部３から第二の方向Ｙに横折りして折り畳み、前記縦折り部４から第一の方向Ｘに巻き折りすることができる。そして、８面に仕切られたシート面の内、前述のように二つ折り（横折り）後に巻き折りして折り畳み封書とするために、図における例にあっては横折り部３より上段であって巻き折り終端側となるシート面を封筒上紙５とし、この封筒上紙５に対して第一の方向Ｘに縦折り部４を介して連接するシート面が封筒下紙６としている。
【０００６】
上述のように折り畳んで折り畳み封書を得るための上記折り畳み葉書用シート１にあっては、シート本体２の所要箇所が貼り合わせ手段を設ける箇所として設定されている。まず、シート本体２の第二の方向Ｙに対向する端縁の内、即ち、上端縁と下端縁との内、上端縁に亘って封着片７が設けられている。この封着片７は上記横折り部３からシート本体２を二つに横折りしたときに重ならずに表出するものであり、上記巻き折り（縦折り）する時の最初のシート面の対向側と封書時に外方に表出するシート面の表出側とを除く各封着片７の各片面に接着剤塗布予定域８が設けられている。さらに、前記封着片７を後述するように巻き折りして接着剤により封着された状態で取り除くことができるように上端縁に沿って切取り用ミシン目を穿設してなる易開封手段９が備えられている。
【０００７】
また、シート本体２にあっては、巻き折りして貼り合わせるための貼り合わせ手段を設ける箇所も設定されていて、上記横折り部３側において、第二の方向Ｙに折り畳んだときに外方に臨む部分であって、巻き折り時（図２参照）に対向する対向部位それぞれが剥離可能に接着する構造が得られるようにしている。図示するように、巻き折りの始めに対向する対向部位ａと対向部位ｂとにおいて、対向部位ａには接着剤を塗布するための接着剤塗布予定域１０が設けられ、一方、対向部位ｂには予め剥離剤を塗布し、前記接着剤塗布予定域１０に接着剤を塗布した状態で貼り合わせても接離可能となる構造が得られるようにした剥離部１１が設けられている。
つぎの折り（巻き折り）で対向する対向部位ｃと対向部位ｄとでは、その対向部位ｃに接着剤塗布予定域１０が設けられ、対向部位ｄには剥離部１１が設けられている。さらに、最後の巻き折りで対向する対向部位ｅと対向部位ｆとでは、対向部位ｅに接着剤塗布予定域１０が設けられ、対向部位ｆに剥離部１１が設けられている。
このように対向部位の一方に接着剤塗布予定域１０が設けられ、対向部位の他方に予め剥離剤を塗布してなる剥離部１１が設けられているため、後述するように前記接着剤塗布予定域１０に接着剤を塗布し巻き折りすることで対向部位が貼り合わされ、また、後述する封書を開く時点では対向していた対向部位が容易に離れるようにしている。
【０００８】
上記封筒上紙５側の側端縁には封緘片１２が連接されているとともに、この封緘片１２に横折り部３を介して対向片１３が連接されており、この対向片１３自体は、上記封筒上紙５に横折り部３を介して連接しているシート面に対しても連接されている。前記封緘片１２には巻き折りして封筒下紙６に接着させるための接着剤を塗布する接着剤塗布予定域１４が設けられているとともに、対向片１３にあっては、第一の方向Ｘにおける幅寸法を封緘片１２の前記接着剤塗布予定域１４から封筒上紙５までの幅寸法より小さくしていて矩形状とされ、後述するように封緘片１２を封筒下紙６側に折り重ねるとき、封緘片１２の接着剤塗布予定域１４が封筒下紙６に直接相対するように構成されている。即ち、封緘片１２を封筒下紙６側に折り重ねたとき、接着剤塗布予定域１４に塗布された接着剤にこの対向片１３が接触しないように設けられている。
さらに、前記封緘片１２と前記対向片１３とには、第二の方向Ｙに亘って二条のミシン目１５ａを穿設してなる開封手段１５が設けられ、この開封手段１５を構成している二条のミシン目１５ａの間を通るようにして折り部１６が設けられており、横折りによって重ね合わされた封緘片１２と対向片１３をこの折り部１６から折り畳んで封筒下紙６に折り重ねることができるようにしている。
そして、前記開封手段１５の間の折り部１６から折り畳むことで二本のミシン目１５ａが縦折り部４の外方側で位置揃えされるようにしており、開封に際してこの開封手段１５のミシン目１５ａから切断することで封緘片１２と対向片１３とが切断されるようにしている（図５参照）。
【０００９】
封緘片１２に横折り部３を介して連接している対向片１３を封緘片１２に比べて短幅としない場合、巻き折りした際に食出しが生じるものであって、図２（ニ）にて仮想線１３ａで示す対向片１３の側縁部分が表出する状態となる。
そこで、本発明においてこの対向片１３にあっては、封緘片１２に比べて第一の方向Ｘに短幅にした矩形状として設けられている。このように対向片１３を短幅としているため、対向片１３を封緘片１２に重ね合わせた状態にして折り部１６から前記封緘片１２を封筒下紙６に折り重ねるようにしても、図２（ニ）に示されているように対向片１３の側縁１７が封筒の外方には表出しないようになり、、封書の外観を損なうことがない。
上記対向片１３ではその側縁１７が封緘片１２の接着剤塗布予定域１４にかからないようにして、ある程度の幅寸法を有するものとしているが、本発明はこれに限定されるおのではなく、図１（イ）の仮想線１７ａに示されているように、さらに、短幅にして開封手段も無くす幅寸法としてもよく、対向片１３体を無くすようにしてもよいものである。
【００１０】
この折り畳み封書用シート１における一つのシート面にあっては、上記巻き折りしたときに内方となる片面側に葉書用紙１８が保持手段１９を介して剥離可能にして取り付けられており（図３参照）、受取人が見開いたこの折り畳み封書用シートに記載されている情報を見て、その葉書用紙を返信用などとして受取人側が利用できるようにしている。勿論、前記葉書用紙の大きさはシート面の大きさより小さいものであり、巻き折り始端から巻き折り終端にかけてシート面の幅が第一の方向に徐々に大きくなっているため、巻き折り始端側における一つのシート面の幅寸法、高さ寸法より小さくするか或は同じにすればよい。
そして、上記葉書用紙はシート面に剥離可能に取り付けたものとして説明したが、これに限定されるものではなく、例えば、シート面の一部をこの葉書用紙として構成するようにしてもよい。
【００１１】
以上の構造であって所要の情報が印字処理された折り畳み封書用シート１から封書を作成するには、図２（イ）に示すように、横折り部３からシート本体２を第二の方向Ｙに横折りする。
つぎに、表出している封着片７の接着剤塗布予定域８と横折り部３側の接着剤塗布予定域１０とに接着剤を塗布し、図２（イ）において図の右のシート面側（封筒上紙５と反対側に位置するシート面側）を巻き折り始端として縦折り部４から第一の方向Ｘに向けて巻き折りを行う（図２（ロ）参照）。このように接着剤塗布予定域８，１０に接着剤を塗布して巻き折りすることで封着片７同士は貼り合わされ、また、横折り部側では対向部位ａとｂ、ｃとｄ、ｅとｆが剥離可能にした状態で貼り合わされる。
折り畳み封書用シート１を上述のようにして巻き折りを行った後には、図２（ハ）に示すように、前記巻き折りと対向箇所の貼り合わせで一辺開口の封筒部２０が得られ、この封筒部２０に書面などの各種情報を印刷した封入物２１を挿入する。なお、前記封筒部２０に必ずしも封入物２１を挿入する必要はない。
この後、上記封緘片１２の接着剤塗布予定域１４に接着剤を塗布してから封緘片１２と対向片１３を封筒下紙６に重ね合わせして接着する。このようにして、所要箇所が貼り合わされ、封入物を備え、封緘された折り畳み封書２２が得られる（図２（ニ）参照）。
図示した折り畳み封書用シートからなる折り畳み封書２２を開封するには上記封緘片１２を開封手段１５から開くとともに封着片７を易開封手段９から分離し、そして、接着剤が塗布された接着剤塗布予定域１０と剥離部１１とを引き離しながら巻き折り状態を戻してシート本体２を開くようにすれば、封入物２１を取り出すことができるとともに、シート本体２の全面を見ることができ、さらに、上記葉書用紙１８も表出して取り外しも可能になる。なお、上記した例では一つのシート面に葉書用紙を配置したが、複数のシート面に葉書用紙を配置するようにしてもよい。
【００１２】
【発明の効果】
以上説明したように本発明によれば、シート本体を横折りした後にその横折りと直交する縦折りとして巻き折りし巻き折り最終側となる封緘片を封筒下紙に貼り合わせて封書が得られるようにしたシートにおいて、封緘片に横折り部を介して連接した対向片を封緘片の接着剤塗布予定域から封筒上紙までの幅寸法より小さい幅寸法としたので、封緘片を封筒下紙側に貼り合わせる際に対向片が封書外方に表出することがなく、極めて簡単な構造にて封書の外観を損なわせないようにすることができるなど、実用性に優れた効果を奏するものである。
【図面の簡単な説明】
【図１】本発明に係る折り畳み封書用シートの一例を示すもので、（イ）は一方の面を示す説明図、（ロ）は他方の面を示す説明図である。
【図２】折り畳み封書用シートの一例における折り畳み工程を示す説明図である。
【図３】一例を葉書用紙取付け部分の断面で示す説明図である。
【図４】開封を示す説明図である。
【図５】封書の封緘部分を断面で示す説明図である。
【符号の説明】
１…折り畳み封書用シート
２…シート本体
３…横折り部
４…縦折り部
５…封筒上紙
６…封筒下紙
８…接着剤塗布予定域
１２…封緘片
１３…対向片
【図１】
0003740630.tif 000002
【図２】
0003740630.tif 000003
【図３】
0003740630.tif 000004
【図４】
0003740630.tif 000005
【図５】
0003740630.tif 000006